(57)【特許請求の範囲】
【請求項１】
異常を検出すると、電話回線を通して所定の通報先へ異常の発生を通報する異常通報装置において、
前記電話回線が閉結されているときの回線電流を監視し、回線電流の異常を検出する回線電流監視手段と、
電話回線間に高抵抗を接続して前記回線電流より小さい電流を流すことにより回線電圧を検出し、前記電話回線が開放されているときの回線電圧を監視して回線電圧の異常を検出する回線電圧監視手段と、
前記電話回線の直流回路の閉結動作を行う回線閉結手段と、
前記回線電圧監視手段と前記回線電流監視手段と前記回線閉結手段に接続され、前記回線電圧監視手段にて異常を検出すると、前記回線閉結手段に前記電話回線の直流回路を閉結させ、その後、回線閉結状態において前記回線電流監視手段にて異常が検出されると、前記電話回線に断線があったと判定し、断線信号を出力する断線判定手段と
を具備することを特徴とする異常通報装置。
【請求項２】
前記回線電圧監視手段は、
前記電話回線が開放されているときの回線電流により充電されるコンデンサと、
前記コンデンサを所定周期で充電と放電を繰り返させる手段と、
前記放電時に放電電流を検出しないときに異常信号を出力する手段と
を具備することを特徴とする請求項１記載の異常通報装置。
【発明の詳細な説明】
【０００１】
【発明の属する技術分野】
本発明は、電話回線を利用した警備システムなどに使用される異常通報装置に関するものであり、特に、電話回線の断線を監視できる異常通報装置に関するものである。
【０００２】
【従来の技術】
ビル・マンションなどの建物に異常通報装置を設置し、この異常通報装置と遠隔地の中央監視センターとを電話回線を介して接続し、中央監視センターにおいて、集中監視する警備システムが種々実用化されている。この警備システムにおいては、異常通報装置には、防犯センサ、防災センサなどの各種センサが接続され、センサが異常を検出すると、電話回線を介して中央監視センターに異常通報がされる。このような警備システムでは、電話回線が断線をすると、センサが異常を検出しても、中央監視センターに信号が届かなくなるため、警備システムが機能をしなくなる。
【０００３】
そこで、異常通報装置から、例えば、１〜２時間間隔で定期的に信号を中央監視センターに送信をし、中央監視センターでは、この信号が定期的に送られてくることを監視する。この信号が定期的に送られてこなくなった場合は、中央監視センターでは、電話回線が断線していると判定する。そして、該当の建物に警備員を派遣して、安全状態の確認及び、状況に応じた対応を行う。
【０００４】
一方、異常通報装置側で電話回線の断線を検出するため、異常通報装置において、上記定期信号の送信時に電話回線を流れる電流を監視する。この時、電流が検出されなければ、電話回線に断線があったと判定し、ブザーを鳴動させて、周囲にいる人に対して電話回線が断線したことを報知する。また、上記定期信号の送信を行う間の期間においては、電話回線は開放されているので回線電流による断線検出はできない。このため、電話回線の開放中は線路間にかかる電圧を監視し、電圧が検出されなければ、電話回線に断線があったと判定する。
【０００５】
【発明が解決しようとする課題】
しかしながら、回線電圧の検出は、電話回線間に高抵抗を接続して微小電流を流し、この微小電流を検出することにより行われる。このため、回線電圧の監視による断線の検出は、回線電流の監視と比較して、小さな電流を検出することによって行われるので、ノイズの影響を受けて誤判定をしやすくなる。これに対して、回線電流による断線の監視は、電流値が大きくノイズの影響が少ないので、確実な断線検出を行うことができる。したがって、定期信号の送信間隔を短くして、回線電流による監視の回数を増やすことが考えられる。しかし、この場合は、送信回数が増加するので、システムを運用するコストが上昇するという問題が発生する。
【０００６】
本発明は、電話回線を通して通報先へ異常の発生を通報する異常通報装置において、常時電話回線の断線の検出を、誤判定することなく、かつ、低コストで行えるようにすることを目的とするものである。
【０００７】
【課題を解決するための手段】
本発明は、上記目的を達成するため、異常を検出すると、電話回線を通して所定の通報先へ異常の発生を通報する異常通報装置において、電話回線の開放時には、電話回線間に加わる電圧を監視する。回線電圧による監視時に異常を検出すると、電話回線を閉結して、回線電流の監視を行う。そして、この回線電流による監視時に異常を検出したとき、電話回線が断線したと判定し、断線信号を出力する。
【０００８】
本発明は、これを実現するために、電話回線が開放されているときの回線電圧を監視し、電話回線が閉結されているときの回線電流を監視し、回線電流の異常を検出する回線電流監視手段と、電話回線間に高抵抗を接続して前記回線電流より小さい電流を流すことにより回線電圧を検出し、前記電話回線が開放されているときの回線電圧を監視して回線電圧の異常を検出する回線電圧監視手段と、電話回線の直流回路の閉結動作を行う回線閉結手段と、これら回線電圧監視手段と回線電流監視手段と回線閉結手段に接続された断線判定手段を設ける。
【０００９】
この断線判定手段は、回線電圧監視手段にて異常を検出すると、回線閉結手段に電話回線の直流回路を閉結させ、その後、回線閉結状態において回線電流監視手段にて異常が検出されると、電話回線に断線があったと判定し、断線信号を出力する。また、回線閉結状態において回線電流監視手段から異常入力がなければ、電話回線に断線はないと判定する。
【００１０】
この構成によれば、電話回線の開放中に断線が発生した場合、回線電圧が低下して回線電圧監視手段が異常を検知する。次いで、電話回線が閉結されるが、回線電流が流れないので、回線電流監視手段が異常を検知する。これにより断線判定手段から断線信号が出力される。一方、断線が発生していないときにノイズにより回線電圧監視手段が異常電圧を検出した場合は、それに続いて電話回線が閉結されたときに回線電流が流れ、回線電流監視手段がこの回線電流を検出する。断線判定手段においては、この回線電流の検出により断線は発生していないと判定する。したがって、断線信号が出力されることはなく、ノイズによる誤動作を防止することができる。
【００１１】
また、回線電流による監視は、回線電圧の監視により断線と判定されたときだけ行われるので、回線閉結を行う回数が低減され、警備システムのコストの上昇を防止することができる。
本発明においては、回線電圧の監視を回線電圧による微小電流の検出により行う代わりに、この微小電流をコンデンサに蓄積し、その放電電流を監視するようにすることもできる。この場合、放電電流に対するノイズの影響は少なくなるから、ノイズの影響が少ない状態で回線電圧の監視を行うことができる。したがって、このような回線電圧の監視を行うことにより、ノイズによる誤動作の発生を少なくし、回線電流監視のために回線閉結を行う回数を更に少なくすることが可能となる。
【００１２】
【発明の実施の形態】
本発明の実施の形態について図を用いて説明する。
図１は、異常通報装置が適用される警備システムの構成を示す図である。
図１において、３、３…は、異常通報装置４が設置され、監視の対象とされる建物である。各建物３に設置された異常通報装置４は、電話回線５と交換機８を介して、遠隔地にある中央監視センター１の中央監視装置２と接続される。１０は、警備員が待機する待機所で、電話回線５と交換機８を介して、中央監視センター１の中央監視装置２と接続される。
【００１３】
異常通報装置４には、監視建物の所定箇所に配置された防犯センサ、防災センサなどの各種センサ６、６…が接続されている。また、電話機７、ファックス９が異常通報装置４を介して電話回線５に接続される。
図１の警備システムにおいて、いずれかのセンサ６が異常信号を出力すると、異常通報装置４は、中央監視装置２に異常通報を行う。中央監視装置２では、異常通報を受信すると、中央監視センター１内の要員に対して異常発生の表示を行う。中央監視センター１では、異常の種類に応じて、待機所１０へ連絡をして、警備員を異常を検知した建物に派遣をする。
【００１４】
また、異常通報装置４は、定期的（例えば、１時間ごと）に中央監視装置２に対して所定の信号を送信する。中央監視装置２側では、この信号の受信を監視し、定期的な送信が途絶えたときは、電話回線５に断線があったと判定する。そして、警備員を該当建物へ出向かせる。
監視建物に派遣された警備員は、安全状態の確認及び、状況に応じた対応を行う。
【００１５】
図２に、異常通報装置４の構成を示す。
本実施例の異常通報装置４においては、警報監視回路１２と電話回線５との間に、異常通報装置４側で電話回線の断線を検出するための断線判定回路２１が挿入される。警報監視回路１２には、各種センサ６、６…と、電話機７とファックス９が接続される。
【００１６】
警報監視回路１２は、通常時は、電話回線５を電話機７、ファックス９と接続する。そして、センサ６、６のいずれかが異常を検知して信号を出力すると、回線閉結手段１３により電話回線を閉結して、異常信号を中央監視装置２へ通報する。また、電話回線５の断線の検出のため、警報監視回路１２は、定期的に電話回線を閉結し、所定の信号を中央監視装置２へ送信する。この警報監視回路１２の構成及び動作は、従来より公知のものであるので、ここでの詳細な説明は省略する。
【００１７】
断線判定回路２１は、異常通報装置４側において電話回線５の断線を検知するために設けられる。断線判定回路２１は、入力端子Ｌ１，Ｌ２を電話回線５と接続し、出力端子Ｌ１’，Ｌ２’を警報監視回路１２と接続する。一方の入力端子Ｌ１と出力端子Ｌ１’間は、回線電流監視回路２４を介して接続され、他方の入力端子Ｌ２と出力端子Ｌ２’間は直接接続される。入力端子Ｌ１，Ｌ２間に回線電圧監視回路２３が接続される。回線電流監視回路２４と回線電圧監視回路２３の出力信号はＣＰＵ（中央処理装置）２２に入力される。
【００１８】
ＣＰＵ２２には、ブザー又は点滅動作を行うランプなどにより構成される報知回路２５が接続される。また、ＣＰＵ２２は、警報監視回路１２内の回線閉結回路１３と接続され、回線閉結の指令信号を出力し、回線閉結状態を検出する。
図３に、回線電圧監視回路２３の構成を示す。
入力端子Ｌ１，Ｌ２間の電圧は全波整流器Ｄ１で整流され、抵抗Ｒ１，Ｒ２により分圧される。また、電源Ｖ１の電圧が抵抗Ｒ３，Ｒ４により分圧される。両分圧電圧は比較器ＣＰ１に入力され、比較器ＣＰ１の出力によりトランジスタＴｒをオン・オフ制御する。トランジスタＴｒと電源Ｖ１との間に、フォトカプラＰＣ１のフォトダイオードＰＤ１が接続される。フォトカプラＰＣ１のフォトトランジスタＰＴ１はＣＰＵ２２へ接続される。
【００１９】
ここで、回線電圧が定常値であるとき、比較器ＣＰ１の出力はＬ（ロー）となりトランジスタＴｒがオフとなるのでフォトダイオードＰＤ１には電流は流れず、フォトトランジスタＰＴ１はオフとなる。これに対し、回線電圧が低下すると、比較器ＣＰ１の出力はＨ（ハイ）となり、トランジスタＴｒがオンとなるのでフォトダイオードＰＤ１に電流が流れ、フォトトランジスタＰＴ１はオンとなる。
【００２０】
図４に、回線電流監視回路２４の構成を示す。
入力端子Ｌ１と出力端子Ｌ１′間に、フォトカプラＰＣ２のフォトダイオードＰＤ２が接続される。フォトトランジスタＰＴ２の出力はＣＰＵ２２に接続される。ここで、電話回線５に電流が流れると、フォトトランジスタＰＴ２はオンとなり、電流が流れないときは、フォトトランジスタＰＴ２はオフとなる。
【００２１】
図５のフローチャートを用いて、断線判定回路２１のＣＰＵ２２の動作について説明する。なお、既に述べたように、断線判定回路２１は、異常通報装置３側で電話回線５の断線を検知するために設けられたものである。中央監視センター１側で電話回線５の断線を検出するための処理は、従来と同様に警報監視回路１２により実行される。
【００２２】
図５のステップＳ１において、電話回線５が開放中であるか否かを判定する。この判定には、警報監視回路１２内の回線閉結回路１３の状態がチェックされる。ここで、ＮＯ（閉結中）であれば、ステップＳ４へ進み、ＹＥＳ（開放中）であれば、ステップＳ２へ進む。
ステップＳ２で、回線電圧の監視が行われる。ここでは、回線電圧監視回路２３のフォトトランジスタＰＴ１の状態がチェックされる。ステップＳ２の状態では、電話回線５が開放中であるので、回線電圧が所定値以上であれば異常なし、以下であれば異常ありと判定できる。つまり、フォトトランジスタＰＴ１がオフであれば異常なしとしてステップＳ１へ戻る。オンであれば異常ありとしてステップＳ３へ進む。
【００２３】
実際には断線がないのにノイズの影響により異常ありと判定されることがある。このため、ステップＳ３以降の断線の確認のための動作に進む。
ステップＳ３では、ＣＰＵ２２から、警報監視回路１２の回線閉結回路１３へ信号が出力され、警報監視回路１２内において電話回線が閉結される。なお、回線閉結を行う際、必要がある場合は、異常通報装置３から中央監視センター１に対して所定の信号を送信する。
【００２４】
ステップＳ４では、回線電流の監視が行われる。ここでは、回線電流監視回路２４のフォトトランジスタＰＴ２の状態がチェックされる。ステップＳ４の状態では、電話回線５が閉結されているので、回線電流が所定値以上であれば異常なし、以下であれば異常ありと判定できる。つまり、フォトトランジスタＰＴ２がオンであれば異常なしと判定してステップＳ１へ戻る。オフであれば異常ありと判定してステップＳ５へ進む。この回線電流の監視は、回線電圧の監視の場合と比較すると大電流を用いて行われるので、ノイズによる誤判定は生じない。
【００２５】
ステップＳ５では、報知回路２５により異常出力を行い、断線判定動作を終了する。異常出力として、ブザーの鳴動、又はランプの点滅が行われ、異常通報装置３側において、電話回線５の断線を知ることができる。
以上の説明から明らかなように、回線電圧の監視により断線の可能性ありと判定したとき、続いて回線電流の監視による断線の有無の判定を行うので、回線電圧の監視時にノイズにより誤判定があった場合でも、電話回線の断線を常時正確な判定を行うことができる。また、回線電流の監視は、回線開放中で回線電圧の異常が検知された場合のみ行われるので、電話回線を閉結する回数は少く抑えることができ、システム運用上のコストの上昇を防止できる。
【００２６】
なお、以上説明した例では、断線判定回路２１は警報監視回路１２と別体で構成しているが、断線判定回路２１を警報監視回路１２に組み込むことができる。
回線電圧監視回路２４の変形例を図６を用いて説明する。
図６において、Ｃ１は、回線電圧により流れる微小電流を蓄積するコンデンサである。このコンデンサＣ１の充電回路として、回線電圧を整流する全波整流器Ｄ３、定電圧回路ＣＣ１、フォトカプラＰＣ３のフォトトランジスタＰＴ３、ダイオードＤ４が接続される。なお、定電圧回路ＣＣ１は、トランジスタＴＲ１、ツェナーダイオードＺＤ１、抵抗Ｒ５，Ｒ６，Ｒ７から構成される。
【００２７】
また、コンデンサＣ１の放電回路として、放電抵抗Ｒ８、フォトカプラＰＣ４のフォトトランジスタＰＴ４、出力用のフォトカプラＰＣ５が接続される。
充電回路中のフォトカプラＰＣ３のフォトダイオードＰＤ３と放電回路中のフォトカプラＰＣ４のフォトダイオードＰＤ４は、ＣＰＵ２２からの制御信号により、所定間隔で交互にオン・オフされる。
【００２８】
電話回線５が断線しておらず、回線電圧が正常である場合、充電回路中のフォトダイオードＰＤ３がオンとされると、フォトトランジスタＰＴ３がオンとなり、このオン期間中、コンデンサＣ１は回線電圧による微小電流により抵抗Ｒ７を介して充電される。次に、放電回路中のフォトダイオードＰＤ４がオンとされると、フォトトランジスタＰＴ４がオンとなり、コンデンサＣ１は放電抵抗Ｒ８を通して放電される。この放電電流は、出力用のフォトカプラＰＣ５のフォトダイオードＰＤ５をオンとして、フォトトランジスタＰＴ５をオンとする。
【００２９】
ＣＰＵ２２では、放電時（フォトトランジスタＰＴ４をオンにした時）にフォトトランジスタＰＴ５がオンであることを検知した場合には、電話回線５に断線がないと判定する。一方、電話回線５が断線した場合、回線電圧はなくなるから、充電回路中のフォトダイオードＰＤ３がオンとされても、コンデンサＣ１は充電されず、従って、放電時に出力用フォトトランジスタＰＴ５はオフとなる。ＣＰＵ２２では、放電時に出力用フォトトランジスタＰＴ５がオフであることを検知した場合には、電話回線５に断線が発生した可能性があると判定し、図５のステップＳ３以降の処理へ進み、回線電流による確認を行う。
【００３０】
また、ノイズが侵入した場合でも、微小電流を累積したコンデンサＣ１の放電電流と比較すると、ノイズの影響は小さいものとなる。したがって、ノイズにより回線電圧の異常判定を誤る機会が少なくなり、回線電流監視のために回線閉結を行う回数を更に低減することができる。
なお、電話回線の状態が悪く電話回線にノイズが頻繁にのると、回線閉結動作が頻繁に行われることが考えられる。このような場合には、回線電圧監視回路２６にて異常と判定し、その後回線電流監視回路２４にて異常でないと判定したことの発生頻度を監視しておき、ＣＰＵ２２にて発生頻度が高いと判定すると、回線電圧監視回路２６のコンデンサＣ１の充放電間隔を長くなるよう制御してもよい。この場合の発生頻度は、例えば該事象の発生回数をカウントし、１時間内に５回を越えるカウントが生じた場合に、コンデンサＣ１の充放電間隔を３０ｍｓから１秒間隔に設定し直す。
【００３１】
【発明の効果】
本発明によれば、電話回線を通して通報先へ異常の発生を通報する異常通報装置において、電話回線の断線を常時監視することができ、且つ、誤判定することなく、低コストで行うことができる。
【図面の簡単な説明】
【図１】本発明の異常通報装置が適用される警備システムの構成例を示す図。
【図２】本発明の異常通報装置の１例を示す回路図。
【図３】図２の異常通報装置に使用される回線電圧監視回路を示す図。
【図４】図２の異常通報装置に使用される回線電流監視回路を示す図。
【図５】図２のＣＰＵの処理動作を示すフローチャート。
【図６】図３の回線電圧監視回路の変形例を示す図。
【符号の説明】
１…中央監視センター
２…中央監視装置
３…監視建物
４…異常通報装置
５…電話回線
７…電話機
８…交換機
９…ファックス
１０…待機所
１２…警報監視回路
１３…回線閉結回路
２１…断線判定回路
２２…ＣＰＵ
２３，２６…回線電圧監視回路
２４…回線電流監視回路
２５…報知回路
Ｄ…ダイオード
Ｒ…抵抗
ＣＰ…比較回路
ＰＣ…フォトカプラ
ＰＤ…フォトダイオード
ＰＴ…フォトトランジスタ
Ｖ…電源
ＺＤ…ツェナーダイオード
【図１】
0003544797.tif 000002
【図２】
0003544797.tif 000003
【図３】
0003544797.tif 000004
【図４】
0003544797.tif 000005
【図５】
0003544797.tif 000006
【図６】
0003544797.tif 000007